【事件の表示】
　特願２００７−　２３５３２「湾曲したゴルフパター」拒絶査定不服審判事件〔平成１９年　７月１９日出願公開、特開２００７−１８１７０８〕について、次のとおり審決する。
【結　論】
　本件審判の請求は、成り立たない。
【理　由】
第１　手続の経緯  
　本願は、平成１９年１月４日（パリ条約による優先権主張　平成１８年１月４日　アメリカ合衆国）の出願であって、平成２１年２月１６日付け拒絶理由通知に対して、同年８月２４日に手続補正がなされたが、同年１０月２日付けで拒絶査定がなされ、これに対し、平成２２年２月１５日に拒絶査定不服審判が請求されると同時に手続補正がなされたものである。  
　その後、当審において、平成２３年２月１８日付けで拒絶の理由（最初）を通知したところ、同年８月１９日に手続補正がなされたものである。 
　 
第２　本願発明 
　本願の請求項１ないし１０に係る発明は、平成２３年８月１９日になされた手続補正により補正された特許請求の範囲の請求項１ないし１０に記載された事項により特定されるとおりものであり、その請求項１に係る発明（以下「本願発明」という。）は、以下のとおりのものである。 
　 　 
「【請求項１】
　パタータイプのゴルフクラブヘッドであって、
　ヒール及びトウを備えたフェース部材と、
　前記フェース部材に結合され、前記フェース部材から後方に延びる本体部材とを有し、
　前記本体部材は、第１の高さを有するトウと、第２の高さを有するヒールとを有し、
前記本体部材の上面は、前記第１の高さが前記第２の高さよりも大きいように角度がつけられ
　
前記フェース部材の上面は、前記トウが前記ヒールよりも大きな高さを有するように、角度がつけられ
　
前記本体部材の頂面のトウからヒールの角度は、前記フェース部材の頂面のトウからヒールと同じ角度がつけられ
　前記本体部材を少なくとも部分的に貫通して重量を減少させる穴が形成されている、　
　ゴルフクラブヘッド。」（下線は審決で付した。以下同じ）
                        　
第３　引用文献に記載の事項  
１　当審拒絶の理由に引用された本願の優先日前に頒布された刊行物である実願昭５６−１２２４４０号（実開昭５７−５１５７２号）のマイクロフィルム（以下「引用文献１」という。）には、図とともに以下の事項が記載されている。    　
　 　　  
（１）「２．実用新案登録請求の範囲
　
左右に延びる伸張部材の打撃面
　
（２）「本考案は、
グリーン上にのつたゴルフボールをパターするのに使用するゴルフクラブヘツド、すなわちゴルフパター
（第１頁第１１ないし１３行）
    　
（３）「
この伸張部は、アルミニウムまたは衝撃抵抗プラスチツクシート材のような軽量材で形成するとよい
　
（４）「本体並びに伸張部材からなるパターヘツドは、適当な同一の材料で構成してもよいし、また異なつた材料で構成してもよい。好ましくは、
本体（６）は金属で構成し、伸張部材（９）は衝撃抵抗という所望の物理特性を有した熱可塑材で構成し
                    　
（５）「次に第３図に示すパターは、第１図および第２図を参照しながら説明したものと基本的には同じ構造を有するが、
本体（６ａ）は断面長方形
本体のこの部分には傾斜面（１６）から内方へと延びる凹部（図示せず）を設けてもよい
　このヘツドの本体（６ａ）には、
打撃面（８ａ）と直角な側縁（１２ａ）が左右に形成してあり
　第３図に示すパターはまた対称的に配設された伸張部材（９ａ）を有し、該
伸張部材は本体（６ａ）に螺着（１０ａ）している
  　
（６）第３図より、以下のことが読み取れる。
　ア　
断面長方形
　  　
　イ　伸張部材（９ａ）の左側上面端部の高さと右側上面端部の高さが略同じであること。
                          　
　ウ　本体（６ａ）の左側角部と右側角部とを結ぶ線の高さ（以下「本体の頂面の高さ」という。）と伸張部材（９ａ）の左側上面端部と右側上面端部とを結ぶ線の高さ（以下「伸張部材の頂面の高さ」という。）が略同じであること。            　
                          　　　　
（７）上記記載から、引用文献１には次の発明（以下「引用発明１」という。）が記載されていると認められる。　  　　
                              　　
「
左右に延びる衝撃抵抗プラスチツクシート材
断面長方形
　本体の頂面の高さと伸張部材の頂面の高さが略同じであり、
　伸張部材が取付けられる端面とは反対側の本体の部分には傾斜面が形成され、かつこの傾斜面に内方へと延びる凹部を設けた、
　グリーン上にのつたゴルフボールをパターするのに使用するゴルフクラブヘツド。」
　　　
２　当審拒絶の理由に引用された本願の優先日前に頒布された刊行物である特開２００５−６６２４９号公報（以下「引用文献２」という。）には、図とともに以下の事項が記載されている。    　
   　
（１）「【請求項１】            　
　
低比重金属よりなり、前面がフェース面となっている前半体と、
　
高比重金属よりなり、該前半体の後側に取り付けられた後半体と、
　
該前半体の内部において該フェース面に沿って配置されたゴム又は合成樹脂よりなるインサートと、
を備えてなるパターヘッド
【請求項２】            　
　請求項１において、
該前半体の背面に凹所が設けられ、該凹所内に前記インサートが配置されており、且つ該インサートは、該後半体によって押圧されている
【請求項３】                 　
　請求項２において、        　
　該前半体はトウ・ヒール方向に延在しており、　
　該後半体は、該前半体のトウ側からヒール側まで連続し、前半体の後方に張り出した形状の外周棒状体と、
　該前半体のトウ・ヒール方向の中央から後方に張り出し、後端が該外周棒状体に連なっている中央棒状体とが一体とされたものであり、　
　該中央棒状体の先端に、前記凹所に嵌合する大きさの蓋体が設けられており、                      　
　
該蓋体が前記インサートを押圧するように該後半体と前半体とが連結されている
【請求項４】        　
　請求項３において、前記凹所は、           　
　前半体の背面から凹陥する比較的大きい入口部と、   　
　該入口部の奥側に設けられた比較的小さい奥部と、   　
　該入口部と奥部との間に形成された、前記フェース面と略平行な段差面とからなり、   　
　前記インサートは該奥部内に配置され、  　
　前記蓋体が該段差面に当接していることを特徴とするパターヘッド。　
【請求項５】             　
　請求項１ないし４のいずれか１項において、前記前半体の比重は２〜５であり、前記後半体の比重は７〜１５であることを特徴とするパターヘッド。
【請求項６】       　
　請求項１ないし５のいずれか１項において、前記インサートは熱可塑性エラストマーよりなることを特徴とするパターヘッド。  」　　
　　 　
（２）「【０００６】
　かかる本発明のパターヘッドにあっては、ボールをヒットしたときの衝撃が前半体内部のゴム又は合成樹脂製のインサートによって吸収される。
【０００７】
　このインサートは、フェース面に沿って配置されているので、衝撃を吸収し易い。
【０００８】
　本発明では、前半体の背面に凹所が設けられ、該凹所内に前記インサートが配置されており、且つ該インサートは、該後半体によって押圧されていることが好ましい。このように構成した場合、
インサートは前半体に強く押し付けられて密着するため、前半体に生じた衝撃が確実にインサートに伝播し、十分に吸収されるようになる
【０００９】
　本発明では、前半体はトウ・ヒール方向に延在しており、該後半体は、該前半体のトウ側からヒール側まで連続し、前半体の後方に張り出した形状の外周棒状体と、該前半体のトウ・ヒール方向の中央から後方に張り出し、後端が該外周棒状体に連なっている中央棒状体とが一体とされたものであり、該
中央棒状体の先端に、前記凹所に嵌合する大きさの蓋体が設けられ
【００１０】
　この場合、凹所は、前半体の背面から凹陥する比較的大きい入口部と、該入口部の奥側に設けられた比較的小さい奥部と、該入口部と奥部との間に形成された、前記フェース面と略平行な段差面とからなり、前記インサートは該奥部内に配置され、前記蓋体が該段差面に当接していることが好ましい。このように蓋体が奥部に配置され、これを押え付ける蓋体が段差面に当接することにより、インサートが所定の比率で押し縮められるようになる。これにより、設計通りの衝撃吸収特性が確実に発現するようになる。」　
　
（３）「【００１１】
　以下、本発明の実施の形態について図１〜４を参照して詳細に説明する。図１は実施の形態に係るパターヘッドの分解斜視図、図２はこのパターヘッドの斜視図、図３はこのパターヘッドの底面図、図４は図３のIV−IV線断面図である。
【００１２】
　このパターヘッド１は、低比重金属材料よりなる前半体１０、高比重金属材料よりなる後半体２０及びゴム又は合成樹脂よるなるインサート３０により構成されている。
【００１３】
　前半体１０は、そのトウ（図２の左端）とヒール（図２の右端）とを結ぶ
トウ・ヒール方向に延在する略々直方体形状
半体１０の前面が、ボールをヒットするためのフェース面１０ａである
【００１４】
　
この前半体１０の背面にあっては、そのトウ・ヒール方向の中間付近に凹所１１が設けられている
【００１５】
　前半体１０のトウ・ヒール方向の両端側の背面にそれぞれソール面１０ｓにも向って開放する切欠部１２が設けられている。この切欠部１２のフェース面１０ａ側とフェース面１０ａとを連通するようにボルト１４の挿通孔１３が穿設されている。この挿通孔１３は、後述の挿通孔２３ａと同様にフェース面１０ａ側が大径部となり、背面側が小径部であり、ボルト１４の頭部が大径部内に配置される。
【００１６】
　前半体１０の上面のうちヒール側にシャフト差込穴１５が穿設されている。
【００１７】
　
後半体２０は、半円弧形状の外周棒状体２１と、この外周棒状体２１の延在方向の中央部に連なって一体となっている中央棒状体２２と、この中央棒状体２２の先端面にボルト２４によって取り付けられた蓋体２３とを有する
【００１８】
　外周棒状体２１の両端は、前記切欠部１２に嵌合する形状及び大きさであり、この両端面には前記挿通孔１３と同軸状となる雌螺子穴（図示略）が設けられている。外周棒状体２１の両端を切欠部１２に嵌合させ、ボルト１４を該雌螺子穴に螺じ込むことにより前半体１０と後半体２０とが連結される。
【００１９】
　蓋体２３は、入口部１１ａに嵌合する大きさである。図４の通り、蓋体２３に設けられた挿通孔２３ａを通して、中央棒状体２２の先端面に設けられた雌螺子穴２２ａにボルト２４を螺じ込むことにより該蓋体２３が中央棒状体２２に固着されている。
【００２０】
　インサート３０は、前記奥部１１ｂと略等しい縦横寸法を有するが、厚み（ヘッド前後方向の寸法）は奥部１１ｂの深さよりも若干（例えば０．５〜２ｍｍ程度）大きいものとなっている。
【００２１】
　パターヘッドを組み立てるには、インサート３０を奥部１１ｂに挿入した後、
蓋体２３付きの後半体２０
【００２２】
　このパターヘッド１にシャフトを取り付けることによりパターが完成する。
【００２３】
　このパターを用いてボールをヒットした際に生じる
衝撃がインサート３０によって吸収されるため、打感が柔らかいものとなる
【００２４】
　なお、この実施の形態では、高比重の後半体２０が円弧状となっているので、パターヘッドのスイートエリアが広く、芯を外したときの衝撃が少ない。
【００２５】
　本発明を特に限定するものではないが、前半体１０としてはアルミニウム、マグネシウム、チタン、あるいはそれらの合金などよりなる比重２〜５程度のものが好適である。
【００２６】
　後半体２０としては、ステンレス、銅合金、タングステン、タングステン合金（例えばＷ−Ｃｕ合金、Ｗ−Ｎｉ合金）などよりなる比重７〜１４程度のものが好適である。」　
                   　                   　　　　
（４）図面より、以下の事項が読み取れる。
　ア　図１より、インサート３０及び蓋体２３の断面形状が、いずれも「略矩形」であること。      　
      　
　イ　図１及び図４より、蓋体２３の上面は、トウとヒールの高さが略同じであること。
　
　ウ　図２及び図４より、前半体１０の上面は、トウとヒールの高さが略同じであること。  　　
  　
（５）上記記載から、引用文献２には次の発明（以下「引用発明２」という。）が記載されていると認められる。                       　
  　
「前面がフェース面となっているトウ・ヒール方向に延在する略々直方体形状の前半体と、　                  　
　前半体の後側に取り付けられた後半体と、　   　
　前半体の内部においてフェース面に沿って配置された断面形状が
略矩形のインサート
　前半体は、           　
　背面に凹所が設けられ、凹所内にインサートが配置されており、
上面はトウとヒールの高さが略同じであり
　後半体は、         　
　前半体のトウ側からヒール側まで連続し、前半体の後方に張り出した形状の外周棒状体と、前半体のトウ・ヒール方向の中央から後方に張り出し、後端が外周棒状体に連なっている中央棒状体とが一体とされたものであり、中央棒状体の先端に、凹所に嵌合する大きさの断面形状が
略矩形の蓋体
　蓋体の
上面はトウとヒールの高さが略同じであり
　蓋体がインサートを押圧するように後半体と前半体とが連結され、　
　インサートは前半体に強く押し付けられて
密着するため
                          　　      　 　
第４　本願発明と引用発明１との対比・判断  
１　対比　
　本願発明と引用発明１とを対比する。  
（１）引用発明１の「グリーン上にのつたゴルフボールをパターするのに使用するゴルフクラブヘツド」は本願発明の「パタータイプのゴルフクラブヘッド」に相当し、同様に、
「『左右に延びる』『伸張部材』」は「フェース部材」に、  
「固定した」は「結合され」に、
「本体」は「本体部材」に、それぞれ、相当する。
　
（２）引用発明１の「本体」は、伸張部材の打撃面に対して直角に長手方向の端面を固定されている。
　してみれば、引用発明１の「本体」と本願発明の「本体部材」とは、「フェース部材に結合され、前記フェース部材から後方に延びる本体部材」という点で一致する。　
　
（３）
引用発明１の
　
本願発明の
　記フェース部材の上面は、前記トウが前記ヒールよりも大きな高さを有するように、角度がつけられ、  　
　前記本体部材の頂面のトウからヒールの角度は、前記フェース部材の頂面のトウからヒールと同じ角度がつけられ」とは、
「前記本体部材及びフェース部材は、所定高さを有するトウと、所定高さを有するヒールとを有し」という点で共通する。
　
（４）引用発明１の「『傾斜面』に設けられた『凹部』」が本体の重量を減少させることは、当業者にとって明らかである。
　してみれば、
引用発明１の
凹部
　
本願発明の
穴
「前記本体部材に重量を減少させる箇所が形成されている」という点で共通する。      　
　　　     　
（５）してみると、本願発明と引用発明１とは、以下の点で一致する。 
　＜一致点＞  
「パタータイプのゴルフクラブヘッドであって、
　ヒール及びトウを備えたフェース部材と、
　前記フェース部材に結合され、前記フェース部材から後方に延びる本体部材とを有し、
　前記本体部材及びフェース部材は、所定高さを有するトウと、所定高さを有するヒールとを有し、              　
　前記本体部材に重量を減少させる箇所が形成されている、ゴルフクラブヘッド。」　　　
　　　
（６）一方で、本願発明と引用発明１とは、以下の点で相違する。  
　＜相違点１＞ 
　本体部材とフェース部材の高さ及び上面（頂面）に関し
　本願発明が「前記本体部材は、第１の高さを有するトウと、第２の高さを有するヒールとを有し、前記本体部材の
上面
　記フェース部材の
上面
　前記本体部材の
頂面
頂面
　　　      　
　＜相違点２＞ 　  
　重量を減少させる箇所の形状に関し
　本願発明が「前記本体部材を少なくとも部分的に貫通して重量を減少させる穴」と特定されるものであるのに対して、引用発明１ではそのような形状ではない点。
　　　　　　　  
２　判断  
（１）上記＜相違点１＞について検討する。 
　ア　「フェース部材の上面をトウがヒールよりも大きな高さを有するように角度をつけたパタータイプのゴルフクラブヘッド」は、本願の優先日前に周知である（例えば、特開２００２−８５６０５号公報の図３、実願昭５８−６３３８２号（実開昭５９−１６９８６７号）のマイクロフィルムの第６図、実願昭５７−８３８８２号（実開昭５８−１８５２５３号）のマイクロフィルムの図面、米国特許第６３５８１６２号明細書の第２図、米国特許第５２７３２８２号明細書の第１図を参照。以下「周知技術１」という。）。
　
　イ　してみれば、引用発明１の「フェース部材（伸張部材）」の上面をトウがヒールよりも大きな高さを有するように角度をつけることは、当業者が上記周知技術１に基づいて、容易になし得たことである。
　
　ウ　上記イのようにした引用発明１においては、「『衝撃抵抗プラスチツクシート材で形成された』『フェース部材（伸張部材）』」のトウ側の打撃面の面積が上方に向かって大きくなることから、「本体部材（本体）」の断面積もそれに合わせて上方に向かって大きくなるように、「本体部材（本体）」の上面をトウがヒールよりも大きな高さを有するように同じ角度をつけることは、当業者がプラスチツクシート材の強度等を考慮して適宜なし得た設計事項である。  　
　　  　
　エ　上記イ及びウのようにした引用発明１の「本体部材とフェース部材の高さ及び上面（頂面）」は、       　                   　
「前記本体部材は、第１の高さを有するトウと、第２の高さを有するヒールとを有し、前記本体部材の上面は、前記第１の高さが前記第２の高さよりも大きいように角度がつけられ、　　
　記フェース部材の上面は、前記トウが前記ヒールよりも大きな高さを有するように、角度がつけられ、  　
　前記本体部材の頂面のトウからヒールの角度は、前記フェース部材の頂面のトウからヒールと同じ角度がつけられ」たものとなる。
　　
　オ　以上のことから、引用発明１において、上記＜相違点１＞に係る本願発明の構成を採用することは、当業者が上記周知技術１に基づいて容易になし得たことである。　　　
　
（２）上記＜相違点２＞について検討する。  
　ア　「本体部材を貫通して重量を減少させる穴が形成されたパタータイプのゴルフクラブヘッド」は、本願の優先日前に周知である（例えば、特開２００５−４６４４２号公報の【００３０】及び図８、特開２００３−２１０６２９号公報の【００２１】、図１及び図８、実願昭５４−１５３９９５号（実開昭５６−７３８６３号）のマイクロフィルムの第２図、米国特許第５０８０３６５号明細書の第７図を参照。以下「周知技術２」という。）。
  　                        　
　イ　してみれば、引用発明１の「重量を減少させる箇所（凹部）」の形状を、本体部材を貫通する穴とすることは、当業者が上記周知技術２に基づいて容易になし得たことである。  　　
　　　
　ウ　上記イのようにした引用発明１の「重量を減少させる箇所の形状」は、「前記本体部材を少なくとも部分的に貫通して重量を減少させる穴」となる。　
　　  　
　エ　以上のことから、引用発明１において、上記＜相違点２＞に係る本願発明の構成を採用することは、当業者が上記周知技術２に基づいて容易になし得たことである。            　
　　                    　
（３）また、本願発明の奏する効果も、当業者が引用発明１の奏する効果、周知技術１及び周知技術２から予測し得る範囲内のものである。　　  
　　　　　　
第５　本願発明と引用発明２との対比・判断
１　対比　
　本願発明と引用発明２とを対比する。  
（１）引用発明２の「パターヘッド」は本願発明の「パタータイプのゴルフクラブヘッド」に相当し、同様に、
「『トウ・ヒール方向に延在する』『前半体』」は「フェース部材」に、
「取り付けられた」は「結合され」に、
「後半体」は「本体部材」に、それぞれ、相当する。
　
（２）上記（１）より、引用発明２と本願発明とは「パタータイプのゴルフクラブヘッドであって、
　ヒール及びトウを備えたフェース部材と、
　前記フェース部材に結合され、前記フェース部材から後方に延びる本体部材とを有し」という点で一致する。
　
（３）
引用発明２の
　背面に凹所が設けられ、凹所内にインサートが配置されており、
上面はトウとヒールの高さが略同じであり
　後半体は、         　
　前半体のトウ側からヒール側まで連続し、前半体の後方に張り出した形状の外周棒状体と、前半体のトウ・ヒール方向の中央から後方に張り出し、後端が外周棒状体に連なっている中央棒状体とが一体とされたものであり、中央棒状体の先端に、凹所に嵌合する大きさの断面形状が
略矩形の蓋体
　蓋体の
上面はトウとヒールの高さが略同じであり
　
本願発明の
　記フェース部材の上面は、前記トウが前記ヒールよりも大きな高さを有するように、角度がつけられ、  　
　前記本体部材の頂面のトウからヒールの角度は、前記フェース部材の頂面のトウからヒールと同じ角度がつけられ」とは、
「前記本体部材及びフェース部材は、所定高さを有するトウと、所定高さを有するヒールとを有する」という点で共通する。
　　　
（４）してみると、本願発明と引用発明２とは、以下の点で一致する。 　
　＜一致点＞  
「パタータイプのゴルフクラブヘッドであって、    　
　ヒール及びトウを備えたフェース部材と、   　
　前記フェース部材に結合され、前記フェース部材から後方に延びる本体部材とを有し、          　
　前記本体部材及びフェース部材は、所定高さを有するトウと、所定高さを有するヒールとを有する、
　ゴルフクラブヘッド。」   
　　　　
（５）一方で、本願発明と引用発明２とは、以下の点で相違する。  
　＜相違点３＞ 
　本体部材とフェース部材の高さ及び上面（頂面）に関し
　本願発明が「前記本体部材は、第１の高さを有するトウと、第２の高さを有するヒールとを有し、前記本体部材の上面は、前記第１の高さが前記第２の高さよりも大きいように角度がつけられ、　　
　記フェース部材の上面は、前記トウが前記ヒールよりも大きな高さを有するように、角度がつけられ、  　
　前記本体部材の頂面のトウからヒールの角度は、前記フェース部材の頂面のトウからヒールと同じ角度がつけられ」と特定されるものであるのに対して、引用発明２ではそのようなものではない点。
　　
　＜相違点４＞ 　  
　本願発明が「前記本体部材を少なくとも部分的に貫通して重量を減少させる穴が形成されている」と特定されるものであるのに対して、引用発明２はそのような穴が形成されていない点。
　　　　　　　  
２　判断  
（１）上記＜相違点３＞について検討する。 
　ア　「フェース部材の上面をトウがヒールよりも大きな高さを有するように角度をつけたパタータイプのゴルフクラブヘッド」は、本願の優先日前に周知である（上記周知技術１を参照。）。
　　
　イ　してみれば、引用発明２の「フェース部材（前半体）」の上面をトウがヒールよりも大きな高さを有するように角度をつけることは、当業者が上記周知技術１に基づいて、容易になし得たことである。  　
　　
　ウ　上記イのようにした引用発明２においては、「フェース部材（前半体）」のトウ側のフェース面の面積が上方に向かって大きくなることから、「フェース部材（前半体）」に生じた衝撃が確実にインサートに伝播し、十分に吸収されるように、インサート及び蓋体の面積も上方に向かって大きくなるように、インサート及び蓋体の上面をトウがヒールよりも大きな高さを有するように同じ角度をつけることは、当業者が適宜なし得た設計事項である。　　　　         　       　
　　　　　
　エ　ところで、上記ウのようにした引用発明２の「蓋体」は「本体部材（後半体）」を構成する部材の１つであることから、本体部材（後半体）は「第１の高さを有するトウと第２の高さを有するヒールとを有し、上面の第１の高さが第２の高さよりも大きいように角度がつけられた
上面（蓋）
　したがって、上記ウのようにした引用発明２の「本体部材とフェース部材の高さ及び上面（頂面）」は、    　
「前記本体部材は、第１の高さを有するトウと、第２の高さを有するヒールとを有し、前記本体部材の上面は、前記第１の高さが前記第２の高さよりも大きいように角度がつけられ、　　
　記フェース部材の上面は、前記トウが前記ヒールよりも大きな高さを有するように、角度がつけられ、  　
　前記本体部材の頂面のトウからヒールの角度は、前記フェース部材の頂面のトウからヒールと同じ角度がつけられ」たものとなる。
　　
　オ　以上のことから、引用発明２において、上記＜相違点３＞に係る本願発明の構成を採用することは、当業者が上記周知技術１に基づいて容易になし得たことである。
　　　
（２）上記＜相違点４＞について検討する。  
　ア　「本体部材を貫通して重量を減少させる穴が形成されたパタータイプのゴルフクラブヘッド」は、本願の優先日前に周知である（上記周知技術２を参照。）。
  　
　イ　してみれば、重量を減少させるべく引用発明２の「本体部材（後半体）」に貫通する穴を設けることは、当業者が上記周知技術２に基づいて容易になし得たことである。 　         　      　
　　  　     　
　ウ　上記イのようにした引用発明２の「本体部材（後半体）」は、「前記本体部材を少なくとも部分的に貫通して重量を減少させる穴が形成されている」ことになる。　      　
  　                   　
　エ　以上のことから、引用発明２において、上記＜相違点４＞に係る本願発明の構成を採用することは、当業者が上記周知技術２に基づいて容易になし得たことである。   　
　　
（３）また、本願発明の奏する効果も、当業者が引用発明２の奏する効果、周知技術１及び周知技術２から予測し得る範囲内のものである。　　  
  　       　
第６　むすび    　
　以上のとおり、本願発明は、当業者が
引用文献１に記載された発明
引用文献２に記載された発明
　よって、結論のとおり審決する。